(57)【要約】【課題】ディスクの内周から外周にかけて、厚みが増加する厚みムラの影響で、再生品質又は記録品質が悪化する不都合、また光ディスクの外周縁の付近にて急に厚みの盛り上がる厚みムラの影響で、再生品質又は記録品質が悪化する不都合を未然に防止し、高い再生品質又は記録品質を確保することができる光ディスク装置を提供することにある。【解決手段】光ディスクＡの径方向の複数箇所でのキャリブレーションの結果に基づき、記録又は再生を実行し、又は光ディスクＡの外周縁の近傍領域内でのキャリブレーションの結果に基づき、前記外周縁の近傍領域内での再生又は記録を実行する。【選択図】図１
2010073237.tif 000002
【特許請求の範囲】
【請求項１】
光ディスクにビーム光を照射してデータを記録又は再生する条件の較正を行う光ディスク装置において、
前記光ディスクの複数の径方向の位置で前記較正を指示する指示手段と、
前記較正の結果に係る条件を記憶する記憶手段と、
径方向の距離が記録又は再生すべき箇所と最も近似する較正に係る位置の前記条件に基づき、前記箇所での記録又は再生を指示する実行指示手段と
を備えることを特徴とする光ディスク装置。
【請求項２】
一の記録の終了後、該一の記録に係る再生信号から、再生品質に係るエラー信号を検出する検出手段を備え、
前記エラー信号に基づいて、前記指示手段は、前記一の記録に係る部分での前記較正を指示し、
該較正の結果に基づき、前記一の記録に係る記録条件を更新する更新手段を備えていることを特徴とする請求項１に記載の光ディスク装置。
【請求項３】
光ディスクにビーム光を照射してデータを記録又は再生する条件の較正を行う光ディスク装置において、
光ディスクの外周縁の近傍領域での前記較正を指示する較正指示手段と、
前記較正の結果に係る条件を記憶する記憶手段と、
該記憶手段に記憶されている条件に基づく前記外周縁の近傍領域の記録又は再生を指示する記録再生指示手段と
を備えることを特徴とする光ディスク装置。
【請求項４】
一の記録の終了後、該一の記録に係る再生信号から、再生品質に係るエラー信号を検出する検出手段を備え、
前記エラー信号に基づいて、前記較正指示手段は、前記一の記録に係る部分での前記較正を指示し、
前記較正の結果に基づき、前記一の記録に係る記録条件を更新する条件更新手段を備えていることを特徴とする請求項３に記載の光ディスク装置。
【請求項５】
前記記録又は再生のために動作するサーボ系を備え、
前記記録は、前記光ディスクにパルス光を照射して行うように構成されており、
前記記憶手段は、前記ビーム光のパワー及びパルス幅、並びに前記サーボ系の制御条件を記憶することを特徴とする請求項１又は３に記載の光ディスク装置。
【請求項６】
前記較正又は更新の途中で、記録指示を受け付けた場合、該記録指示に係る記録すべきデータを記憶するデータ記憶手段を備えることを特徴とする請求項２又は４に記載の光ディスク装置。
【請求項７】
前記記憶手段は、前記条件を光ディスクの製造者毎に関連づけて記憶するように構成されており、
前記光ディスクが有する製造者識別データに基づき、前記記憶手段が記憶している前記条件を読み出す読出手段を備え、
該読出手段によって読み出された条件に基づき、記録又は再生が実行されるように構成されていることを特徴とする請求項１又は３に記載の光ディスク装置。
【発明の詳細な説明】
【技術分野】
【０００１】
本発明は、光ディスクに対して較正を行い、その結果に基づいて記録又は再生を実行する光ディスク装置に関する。
【背景技術】
【０００２】
ビーム光を利用するデータの記録又は再生に用いられる光ディスクとしては、ＣＤ、ＤＶＤが広く普及されている。また、最近は、ＤＶＤよりも５倍以上のデータを記録できるＢＤ（Blu−ray  Disc、登録商標）も開発されている。
【０００３】
このような光ディスクは、データが記録される記録層、該記録層を保護するカバー層、及び基板を有している。また、前記記録層においては、内周側から順に、ＰＣＡ（Power Calibration Area）、ＰＭＡ（Program  Management  Area）、リードイン（又はＴＯＣ；Table  Of  Contents）、データ領域、リードアウトに構成されている。前記ＰＣＡはビーム光のパワー調整用のエリアであり、ＰＭＡには、例えばＣＤ−Ｒのような追記型の追記時に必要となるアドレスデータが一時的に保管される。また、リードインには、当該ディスクのコンテンツ、記録におけるレーザのパワー及びパルス幅等のデータ（いわゆるストラテジ）が含まれており、データ領域では、ビーム光による、いわゆる記録ピットの書き込みが行われる。
【０００４】
詳しくは、光ディスクの前記記録層にはデータ記録用のガイドとしてプリグルーブという凹部が形成されており、隣接するプリグルーブ同士の間にはランドという凸部が形成されている。データの記録、つまり、記録ピットの書き込みは、前記プリグルーブにて行われる。なお、前記プリグルーブは、所定のＦＭ変調されたウォブリングが含まれており、該ウォブリングを復調することにより、ＡＴＩＰ（Absolute Time  In  Pregroove）情報を得ることができる。該ＡＴＩＰ情報には、アドレス、製造者ＩＤ、商品型番、記録速度等のデータが含まれている。
【０００５】
光ディスクにおいては、事実上、製造者毎に厚みが異なり、このような光ディスクの厚み差は、例えば、ビーム光が１点に結像せず、少し丸く広がる円に結像する状態を起こす球面収差、ビーム光が光軸からずれる場合における球面収差であるコマ収差等に係る設定、レーザのパワー、ストラテジ等に係る設定に影響を与え、データの記録又は再生の品質を悪くするという問題があった。このような問題に対応するために、多くの光ディスク装置は、挿入された光ディスクのリードインから、該光ディスクの製造者により書き込まれたレーザのパワー、ストラテジ等のデータを読み取り、該データに基づく記録又は再生を実行する構成、又は光ディスク装置のファームウエア（例えば、ＲＯＭ）に各製造者の光ディスクの記録及び再生条件を予め格納しておき、光ディスクが挿入された場合、該光ディスクのＡＴＩＰ情報から製造者ＩＤ、商品型番等のデータを読み取り、該データに基づいて前記ファームウエアから適切な記録及び再生条件を選択し、選択された条件に基づく記録又は再生を実行する構成を有している。
【０００６】
また、特許文献１では、挿入されたディスクに対してテスト信号の試し書きを行った後、該試し書きを再生し、再生信号に基づく光学素子の位置調整を行うと共に、前記位置調整に係るデータを前記ディスクに記録しておくことによって、再生の際は、前記ディスクが挿入される度に前記位置調整を行う必要がなくなり迅速な再生ができる光ディスク記録再生方法を提案している。
【特許文献１】特開２００６−３０２４２０号公報
【発明の開示】
【発明が解決しようとする課題】
【０００７】
一方、光ディスクの製造工程において、例えば、前記カバー層はスピンコート法によって形成される。該スピンコート法は、高速に回転するディスクの内周に液状の樹脂を滴下し、遠心力により該樹脂を外周側に流延させて膜（カバー層）を形成する方法である。このようにして形成されたカバー層は、スピンコート法の特徴上、ディスクの内周から外周にかけての厚みの増加、又は外周縁の付近での急な盛り上がりが生じる。しかし、この厚みのムラは、上述したように、球面収差、コマ収差、ストラテジ等の設定に影響を与えるので、光ディスクの再生品質又は記録品質を低下させる原因となる。
【０００８】
特許文献１の光ディスク記録再生方法は、光ディスクのデータ領域の最内周から最外周までの全範囲における、データの記録又は再生を、一回だけの補正結果に基づいて実行するものであるので、例えば、最も厚みの差が大きい、最内周及び最外周での記録又は再生の品質を同一にすることは困難である。
【０００９】
本発明は、斯かる事情に鑑みてされたものであり、その目的とするところは、前記光ディスクの複数の径方向の位置で前記較正を指示する指示手段と、前記較正の結果に係る条件を記憶する記憶手段と、径方向の距離が記録又は再生すべき箇所と最も近似する較正に係る位置の前記条件に基づき、前記箇所での記録又は再生を指示する実行指示手段とを備え、光ディスクの径方向の複数箇所での較正結果に基づき、記録又は再生を実行することにより、ディスクの内周から外周にかけて、厚みが増加する厚みムラの影響で、再生品質又は記録品質が悪化することを未然に防止し、高い再生品質又は記録品質を確保することができる光ディスク装置を提供することにある。
【００１０】
また、本発明の他の目的は、光ディスクの外周縁の近傍領域内での記録又は再生の条件の較正を指示する較正指示手段と、前記較正の結果に係る記録又は再生の条件を記憶する記憶手段と、該記憶手段に記憶されている条件に基づく前記外周縁の近傍領域での記録又は再生を指示する記録再生指示手段とを備え、光ディスクの外周縁の近傍領域内で再生又は記録を実行する場合は、前記外周縁の近傍領域内での較正結果に基づく記録又は再生の条件を用いて再生又は記録を実行することにより、光ディスクの外周縁の付近にて急に厚みの盛り上がる厚みムラの影響で、再生品質又は記録品質が悪化することを未然に防止し、高い再生品質又は記録品質を確保することができる光ディスク装置を提供することにある。
【課題を解決するための手段】
【００１１】
本発明に係る光ディスク装置は、光ディスクにビーム光を照射してデータを記録又は再生する条件の較正を行う光ディスク装置において、前記光ディスクの複数の径方向の位置で前記較正を指示する指示手段と、前記較正の結果に係る条件を記憶する記憶手段と、径方向の距離が記録又は再生すべき箇所と最も近似する較正に係る位置の前記条件に基づき、前記箇所での記録又は再生を指示する実行指示手段とを備えることを特徴とする。
【００１２】
本発明に係る光ディスク装置は、一の記録の終了後、該一の記録に係る再生信号から、再生品質に係るエラー信号を検出する検出手段を備え、前記エラー信号に基づいて、前記指示手段は、前記一の記録に係る部分での前記較正を指示し、該較正の結果に基づき、前記一の記録に係る記録条件を更新する更新手段を備えていることを特徴とする。
【００１３】
本発明に係る光ディスク装置は、光ディスクにビーム光を照射してデータを記録又は再生する条件の較正を行う光ディスク装置において、光ディスクの外周縁の近傍領域での前記較正を指示する較正指示手段と、前記較正の結果に係る条件を記憶する記憶手段と、該記憶手段に記憶されている条件に基づく前記外周縁の近傍領域の記録又は再生を指示する記録再生指示手段とを備えることを特徴とする。
【００１４】
本発明に係る光ディスク装置は、一の記録の終了後、該一の記録に係る再生信号から、再生品質に係るエラー信号を検出する検出手段を備え、前記エラー信号に基づいて、前記較正指示手段は、前記一の記録に係る部分での前記較正を指示し、前記較正の結果に基づき、前記一の記録に係る記録条件を更新する条件更新手段を備えていることを特徴とする。
【００１５】
本発明に係る光ディスク装置は、前記記録又は再生のために動作するサーボ系を備え、前記記録は、前記光ディスクにパルス光を照射して行うように構成されており、前記記憶手段は、前記ビーム光のパワー及びパルス幅、並びに前記サーボ系の制御条件を記憶することを特徴とする。
【００１６】
本発明に係る光ディスク装置は、前記較正又は更新の途中で、記録指示を受け付けた場合、該記録指示に係る記録すべきデータを記憶するデータ記憶手段を備えることを特徴とする。
【００１７】
本発明に係る光ディスク装置は、前記記憶手段は、前記条件を光ディスクの製造者毎に関連づけて記憶するように構成されており、前記光ディスクが有する製造者識別データに基づき、前記記憶手段が記憶している前記条件を読み出す読出手段を備え、該読出手段によって読み出された条件に基づき、記録又は再生が実行されるように構成されていることを特徴とする。
【００１８】
本発明にあっては、前記指示手段は挿入された光ディスクの複数の径方向の位置で前記較正を指示し、前記記憶手段が、例えばビーム光（レーザ光）のパワー及びパルス幅、記録又は再生のために動作するサーボ系の制御条件等の前記較正の結果に係る記録条件又は再生条件を記憶する。再生又は記録の際、前記実行指示手段は、径方向の距離が記録又は再生すべき箇所と最も近似する較正に係る位置の前記条件に基づき、前記箇所での記録又は再生を指示する。
【００１９】
本発明にあっては、光ディスクへの記録が終了した場合、前記検出手段は記録が実行された部分又はその一部に係る再生信号から前記エラー信号を検出する。前記検出手段によって検出されたエラー信号（例えば、トラキングエラー信号、フォーカスエラー信号、チルトエラー信号等）が所定基準を満たしていない場合、前記指示手段は、前記記録に係る部分での前記較正を指示し、該較正の結果に基づき、前記更新手段が前記記録に係る記録条件を更新する。
【００２０】
本発明にあっては、挿入された光ディスクに対し、前記較正指示手段が光ディスクの外周縁の近傍領域内での前記較正を指示し、前記記憶手段が、例えばビーム光のパワー及びパルス幅、記録又は再生のために動作するサーボ系の制御条件等の前記較正結果に係る記録又は再生の条件を記憶する。前記外周縁の近傍領域での再生又は記録の際、前記記録再生指示手段は、前記記憶手段に記憶されている記録又は再生の条件に基づき、記録又は再生を指示する。
【００２１】
本発明にあっては、光ディスクへの記録が終了した場合、前記検出手段は記録が実行された部分又はその一部に係る再生信号から前記エラー信号を検出する。前記検出手段によって検出されたエラー信号（例えば、トラキングエラー信号、フォーカスエラー信号、チルトエラー信号等）が所定基準を満たしていない場合、前記較正指示手段は、前記記録に係る部分での前記較正を指示し、該較正の結果に基づき、前記記録に係る記録条件を更新する。
【００２２】
本発明にあっては、記録が終了し、前記較正又は更新が行われている途中で、記録指示を受け付けた場合は、前記データ記憶手段は前記記録指示に係る記録すべきデータを記憶しておき、前記較正及び更新が終了した後、更新された記録条件に基づき、前記データを記録する。
【００２３】
本発明にあっては、前記記憶手段は、前記較正の結果に係る記録又は再生の条件を、当該光ディスクの製造者毎に関連づけて記憶しておく。光ディスクが挿入された場合、前記読出手段は、挿入された光ディスクが有する製造者識別データに基づき、前記記憶手段が記憶している記録又は再生の条件を読み出し、読み出された条件に基づき、記録又は再生が実行される。
【発明の効果】
【００２４】
本発明によれば、光ディスクの径方向の複数箇所で構成を行い、該較正の結果に基づき、記録又は再生を実行することにより、ディスクの内周から外周にかけて、厚みが増加する厚みムラの影響で、再生品質又は記録品質が悪化することを未然に防止し、高い再生品質又は記録品質を確保することができる。
【００２５】
本発明によれば、光ディスクの外周縁の近傍領域内で再生又は記録を実行する場合は、前記外周縁の近傍領域内での較正結果に基づく記録又は再生の条件を用いて再生又は記録を実行することにより、光ディスクの外周縁の付近にて急に厚みの盛り上がる厚みムラの影響で、再生品質又は記録品質が悪化することを未然に防止し、高い再生品質又は記録品質を確保することができる。
【発明を実施するための最良の形態】
【００２６】
以下、本発明をその実施の形態を示す図面に基づいて詳しく説明する。
（実施の形態１）
図１は、本発明に係る光ディスク装置の要部構成を示すブロック図である。本発明に係る光ディスク装置は、発光素子を有し、挿入された光ディスクＡに対するビーム光（レーザ光）の照射及び光ディスクＡから反射されたレーザ光の受光を行う光ピックアップ１と、光ピックアップ１に入出力される信号を制御する制御部２を備えている。
【００２７】
光ピックアップ１は、対物レンズを含む光学系と、光ディスクＡの記録層から反射されたレーザ光から信号を検出して再生する光検出器１１と、発光素子を駆動してレーザ光を照射させるＬＤドライバ１２と、サーボアクチュエータ１３とを備えている。サーボアクチュエータ１３は、レンズアクチュエータ（サーボ系）等を備え、光ディスクＡを回転させるモータ（サーボ系）の回転制御、対物レンズ及び光ディスクＡ間の距離を一定に維持するフォーカス制御、光ディスクの傾きにあわせて対物レンズの傾きを調整するチルト制御、レーザ光の焦点を光ディスクＡのトラック（ピットの列）に追従させるトラッキング制御等のいわゆるサーボ系の制御を行うためのものである。
【００２８】
光検出器１１によって検出された信号は、ＲＦ回路４１に送信される。ＲＦ回路４１は受信した信号に対して、増幅、波形整形等の処理を行う。ＲＦ回路４１によって処理された信号は、ＰＬＬ回路４２に送信される。ＰＬＬ回路４２は、ＲＦ回路４１からの信号からクロックを再生し、デコーダ４３に送信する。また、光検出器１１では収差検出たのための検出が行われ、トラッキング制御のためのトラキングエラー信号（ＴＥＳ）、フォーカス制御のためのフォーカスエラー信号（ＦＥＳ、ＴＨＥＳ）及びチルト制御のためのチルトエラー信号（ＴＬＴＥＳ）が生成される。
【００２９】
デコーダ４３は、前記クロックを用いてエンコードデータを取り出すとともに、所定のデコードを行うことにより、データを再生する。再生されたデータ（以下、再生用データ）は記憶部３に記憶される。記憶部３に記憶された再生用データは、外部装置Ｂ（例えば、パソコン）に出力される。
【００３０】
記憶部３は、前記再生用データのみでなく、光ディスクＡに記録すべきデータ（以下、記録用データ）を、外部装置Ｂから受信して記憶する。記憶部３が記憶した外部装置Ｂからの記録用データは、エンコーダ４４に送信される。
【００３１】
エンコーダ４４では、記憶部３からの記録用データに、例えば、サブコード、エラー訂正コード等を付加する処理を行う。エンコーダ４４にて処理された前記記録用データは、ストラテジ回路４５に送信される。
【００３２】
ストラテジ回路４５は、受信した前記記録用データに基づき、レーザ光のパワー、パルスに係る信号（ストラテジ信号）を生成する。ストラテジ回路４５によって生成されたストラテジ信号は、ＬＤドライバ１２に送信される。ＬＤドライバ１２は、発光素子を駆動し、前記パルス信号に基づく記録を行う。
【００３３】
一方、光検出器１１によって検出された信号は、ＡＴＩＰ回路４６にも送信される。ＡＴＩＰ回路４６では、ウォブリング周波数の信号が選択され、該ウォブリング周波数の信号に基づき、ＡＴＩＰ情報を制御部２に送信する。詳しくは、ＡＴＩＰ回路４６で選択されたウォブリング周波数の信号は、復調され、絶対時間情報（アドレス）であるＡＴＩＰ情報がデコードされる。該ＡＴＩＰ情報には、光ディスクＡに予め書き込まれている、アドレス、製造者ＩＤ、商品型番、記録速度等のデータが含まれている。
【００３４】
前記ＡＴＩＰ情報は制御部２を介してエンコーダ４４に送信される。エンコーダ４４は前記ＡＴＩＰ情報に基づいて記録アドレスを生成し、該記録アドレスに従って、エンコードデータをストラテジ回路４５、ＬＤドライバ１２に送信し、記録用データの記録が実行される。
【００３５】
また、光検出器１１によって検出された信号は、サーボ回路４７に送信される。サーボ回路４７では、前記サーボ系の制御条件に係る信号（以下、サーボ制御信号）が生成され、制御部２に送信される。また、サーボ回路４７は、制御部２からサーボ制御信号を受信してサーボアクチュエータ１３に送信される。サーボ回路４７は、サーボアクチュエータ１３を介して、モータの回転制御、フォーカス制御、チルト制御、トラッキング制御等のサーボ系の制御を行う。
【００３６】
制御部２は、ＣＰＵ２１、ＲＯＭ２２及びＲＡＭ２３を備えている。ＣＰＵ２１は、内部バスを介して前述したハードウェア各部と接続されており、例えば、挿入された光ディスクにおける記録用データが記録されるデータ領域の複数の径方向の位置でのキャリブレーション（較正）、キャリブレーション結果に基づいてＲＯＭ２２、ＲＡＭ２３に記憶されている記録条件又は再生条件の更新、ＲＯＭ２２に予め格納されている処理プログラムの実行等を行う。
【００３７】
ＲＯＭ２２には、処理プログラム以外にも、データの記録又は再生のための条件が記憶されている。例えば、ＲＯＭ２２には、各製造者の光ディスクごとにチューニングしたストラテジ（レーザ光のパワー、パルスに係る値）が記憶されている。また、ＲＯＭ２２には、挿入された光ディスクにおける、記録条件又は再生条件のキャリブレーション位置が予め記憶されている。
【００３８】
ＲＡＭ２３には、不揮発性であり、プログラムの実行時に発生する一時的なデータが記録される。例えば、挿入された光ディスクに対してキャリブレーションが行われている場合、該キャリブレーション結果に基づく再生条件又は記録条件が記憶される。
【００３９】
図２及び図３は本発明の実施の形態１に係る光ディスク装置のＣＰＵ２１の制御手順を示すフローチャートである。以下、便宜上、挿入された光ディスクＡへの所定の記録用データの記録の際、キャリブレーションによる記録条件（例えば、ストラテジ）を補正する場合を例として説明する。なお、光ディスクＡは相変化型のいわゆるＣＤ−ＲＷであるとする。相変化型とは、加熱後の液状からの冷却速度差によって結晶状態又は非結晶状態に固化する物性を用いて結晶状態の記録ピットと、非結晶状態の記録ピットとを形成（記録）し、これらにおける光の反射率差を用いて再生を行うものである。
【００４０】
ＣＰＵ２１は光ディスクＡが挿入されたか否かを判定する（ステップ１０１）。このような判定は例えば、ディスク検出スイッチによって行われる。前記ディスク検出スイッチは光ディスクが挿入されるとオフになり、ディスクが挿入されていないときはオンになるものである。従って、ＣＰＵ２１は前記ディスク検出スイッチのポーリングを監視することによって、光ディスクの挿入を判定することができる。
【００４１】
光ディスクＡが挿入されたと判定した場合（ステップ１０１：ＹＥＳ）、ＣＰＵ２１は、ＲＯＭ２２に記憶されているキャリブレーション位置に基づき、光ディスクＡの複数の径方向の位置でキャリブレーションを指示する。以下、便宜上、前記複数は「３」であり、内周側から外周側に向けて夫々第１位置、第２位置、第３位置である場合を例として説明する。ＲＯＭ２２には、前記複数は「３」である、即ち、キャリブレーションを行う位置は３箇所であることが既に記憶されている。一方、光ディスクＡが挿入されていないと判定した場合（ステップ１０１：ＮＯ）、ＣＰＵ２１は光ディスクＡの挿入まで待機する。なお、光ディスクＡはブランクディスクであるとする。
【００４２】
光ディスクＡの複数の径方向の位置でのキャリブレーションについて詳しく説明する。まず、ＣＰＵ２１は、「Ｘ」に１を代入して（ステップ１０２）第Ｘ位置のキャリブレーションを指示する（ステップ１０３）。ＣＰＵ２１の指示に従って、第１位置のキャリブレーションが行われ、該キャリブレーションの結果に基づき、第１位置に最適な記録又は再生の条件（例えば、ストラテジ）が求められ、それをＲＡＭ２３に記憶する（ステップ１０４）。次いで、ＣＰＵ２１は「Ｘ」が「３」であるか否かを判定する（ステップ１０５）。「Ｘ」が「３」でないと判定した場合（ステップ１０５：ＮＯ）、ＣＰＵ２１は「Ｘ」に「１」を足し算して、これを「Ｘ」にして（ステップ１０８）、再び、ステップ１０３に戻って第Ｘ位置のキャリブレーションを指示する。このような処理は、ステップ１０５にて「Ｘ」が「３」であると判定するまで繰り返す。
【００４３】
このような、複数の径方向の位置でのキャリブレーションは、例えば、各位置にて、テストデータを試し書きし、それを再生することによって行われる。以下、キャリブレーションによるストラテジの求めを例として詳しく説明する。まず、第１位置においては、光ディスクＡに予め記録されている製造者ＩＤ（製造者識別データ）を読み取り、該製造者ＩＤに基づいて、ＲＯＭ２２に既に記憶されているデフォルトストラテジを読み出す。
次いで、ＲＯＭ２２に記録されている各キャリブレーション位置に係るデータに基づき、第１位置に光ピックアップ１を移動させ、前記デフォルトストラテジを用いてテストデータの試し書きを行う。試し書きか終了した場合、第１位置の試し書きが終了した位置を示す終了位置アドレスがＰＭＡに記録される。次いで試し書きに係る記録ピットを再生し、例えば、再生信号の品質を示すβ値が所定範囲（例えば０．０４〜０．０５）になるようにレーザのパワーを決定する。ＰＭＡに記録されている前記終了位置アドレスに基づき、決定されたレーザのパワーで、前述と同様に再度試し書きを行い、この試し書きによって形成された長穴状の各記録ピットの長手方向における両端エッジの位相誤差量を夫々計測する。計測した位相誤差量に対し、各記録ピットの位相誤差量が「０」に近づくように夫々の記録ピットごとにストラテジを補正して再度試し書きを行う。このような作動を繰り返しなから、各記録ピットの位相誤差量を小さくすることにより、第１位置において、再生信号の品質基準であるジッタ値を良化する最適なストラテジを求めることができる。このようにして求められたストラテジは、第１位置の記録又は生成の条件として関連付けられ、ＲＡＭ２３に記憶される。
【００４４】
次いで、ＲＯＭ２２に記録されている各キャリブレーション位置に係るデータに基づき、第２位置に光ピックアップ１を移動させ、例えば、第１位置のストラテジに基づいてキャリブレーションを行う。このような処理を繰り返すことにより、光ディスクＡの前記データ領域の複数の径方向の位置でのキャリブレーションに係るストラテジが得られる。従って、光ディスクＡの内周から外周に向けての厚み増加に対応したストラテジ（記録又は再生の条件）が得られる。
【００４５】
一方、「Ｘ」が「３」であると判定した場合（ステップ１０５：ＹＥＳ）、ＣＰＵ２１は、光ディスクＡのデータ領域を複数の部分領域に分割する。詳しくは、ＣＰＵ２１は、光ディスクＡに予め記録されているデータ領域の先頭アドレス及び終端アドレスのデータを読み取る（ステップ１０６）。次いで、ＣＰＵ２１は前記データ領域が径方向に分割された複数の部分領域となるように、夫々の部分領域を画定するアドレスを割り当てる（ステップ１０７）。
例えば、前記部分領域の数はキャリブレーション位置の数によって決められる。本実施の形態１においては、３つの位置でキャリブレーションを行っているので、前記データ領域は３つの部分領域に分割される。例えば、第１部分領域は、前記データ領域の先頭アドレスと、前記第１位置及び第２位置の間を等分する位置に係るアドレス（以下、２等分アドレスという）とによって画定し、第２部分領域は、前記第１位置及び第２位置の２等分アドレスと、前記第２位置及び第３位置の２等分アドレスとによって画定し、第３部分領域は、前記第２位置及び第３位置の２等分アドレスと、前記データ領域の終端アドレスによって画定する。３つの部分領域を画定するアドレス（以下、部分領域アドレスという。）はＲＡＭ２３に記録される。
【００４６】
なお、各部分領域の部分領域アドレスは、各キャリブレーション位置に関連付けて記憶される。つまり、前記第１部分領域には第１位置でのキャリブレーション結果に係る条件が、前記第２部分領域には第２位置でのキャリブレーション結果に係る条件が、前記第３部分領域には第３位置でのキャリブレーション結果に係る条件が関連付けて記憶されることとなる。以下、説明の便宜上、分割による複数の部分領域は、内周から外周に向けて、夫々第１部分領域、第２部分領域、第３部分領域という。
【００４７】
次いで、ＣＰＵ２１は、例えば外部装置Ｂから、記録指示（又は再生指示）を受け付けたか否かを判定する（ステップ１０９）。記録指示（又は再生指示）を受け付けていないと判定した場合（ステップ１０９：ＮＯ）、ＣＰＵ２１は、記録指示（又は再生指示）を受け付けるまで待機する。一方、記録指示（又は再生指示）を受け付けたと判定した場合（ステップ１０９：ＹＥＳ）、ＣＰＵ２１は、ＲＡＭ２３に記憶された部分領域毎の最適な記録又は再生の条件（例えば、ストラテジ）に基づき、記録（又は再生）を指示する。
【００４８】
以下、外部装置Ｂから記録指示を受け付けた場合、ＲＡＭ２３に記憶されている記録条件（例えば、ストラテジ）に基づいて、記録用データの記録を実行する場合を例として詳しく説明する。記録指示を受け付けたと判定した場合（ステップ１０９：ＹＥＳ）、ＣＰＵ２１は、記録指示に係る記録が実行されるべき、部分領域を特定する（ステップ１１０）。斯かる部分領域の特定は、記録指示に含まれている記録開始箇所を示す記録開始アドレスデータを読み出し、ＲＡＭ２３に記憶されている各部分領域アドレスに基づき、該記録開始アドレスデータが属する記録対象たる部分領域を選択する。以下の説明において、特定された部分領域は第１部分領域であるとする。
【００４９】
続いて、ＣＰＵ２１は、ＲＡＭ２３から第１部分領域に係るストラテジ、つまり、第１位置でのキャリブレーション結果に係るストラテジを読み取り（ステップ１１１）、該ストラテジに基づく記録を指示する（ステップ１１２）。前記第１部分領域内には第１位置が、前記第２部分領域内には第２位置が、前記第３部分領域内には第３位置が含まれている。夫々のキャリブレーション位置は当該部分領域内の何れの位置と径方向の距離が最も近似しているので、夫々のキャリブレーション位置でのキャリブレーション結果に係る記録（又は再生）条件に基づき、記録（又は再生）を実行することで、径方向への光ディスクＡの厚み変更により適切に対応できる。
【００５０】
前記ストラテジデータ及び記録指示に係る記録用データはエンコーダ４４及びストラテジ回路４５を介してＬＤドライバ１２に送られる。光ピックアップ１は第１部分領域の前記記録開始アドレスに係る位置に移動され、ＬＤドライバ１２は、第１部分領域に適した、第１位置でのキャリブレーション結果に係るストラテジに基づいて前記記録用データの記録（又は再生）を開始する。
【００５１】
実施の形態１においては、光ディスクＡの径方向の複数のキャリブレーション位置でキャリブレーションを行い、該キャリブレーションの結果に係る記録又は再生の条件を、前記キャリブレーション位置に基づいて画定される複数の部分領域毎に記憶しておき、記録又は再生の場合、記録又は再生すべき箇所が属する部分領域に係る前記条件に基づいて、記録又は再生を実行する場合を例として説明したが、これに限るものでない。例えば、ＣＰＵ２１が挿入された光ディスクＡの外周縁の近傍領域（以下、外周近域という）のいずれか１箇所でのキャリブレーションのみを指示するように構成しても良い。つまり、外周近域でのみキャリブレーションを行い、該キャリブレーションの結果に基づく、外周近域に適した記録又は再生の条件をＲＡＭ２３に記憶しておき、外周近域での記録指示（又は再生指示）を受け付けた場合は、ＲＡＭ２３に記憶されている記録又は再生の条件に基づき、記録（又は再生）を実行するように構成しても良い。このような構成により、光ディスクにおいて、前記外周近域にて厚みが急に盛り上がる厚みムラによる記録又は再生の品質悪化を未然に予防できる。なお、前記外周近域は、例えば、光ディスクＡの外周縁から中心方向に５ｍｍの領域である。
【００５２】
実施の形態１においては、第１部分領域で記録が開始される場合を例として説明したが、これに限るものでない。例えば、前記第１部分領域から第２部分領域にかけての記録を実行することとなる場合であっても、本発明は適用できる。詳しくは、光ディスクのＡＴＩＰ情報に基づき、記録が実行されている位置を実時間で監視する監視手段を備え、該監視手段の監視結果、及びＲＡＭ２３に記録している、各部分領域アドレスに基づき、第１部分領域から第２部分領域への移動を判定する。第１部分領域から第２部分領域に入ったと判定された場合、つまり、第２部分領域での記録が開始されたと判定された場合は、ＲＡＭ２３に記憶されている第２部分領域に係るストラテジを読み取り、該ストラテジに基づく記録を行うように構成すればよい。
【００５３】
実施の形態１においては、複数のキャリブレーション位置でキャリブレーションが行われ、該キャリブレーションの結果に係る記録又は再生の条件（ストラテジ）を、部分領域毎に、ＲＡＭ２３に記憶する場合を例として説明したが、これに限るものでなく、該キャリブレーションの結果に基づき、ＲＯＭ２２に既に記憶されているデフォルトストラテジ（記録又は再生の条件）を更新するように構成しても良い。
【００５４】
実施の形態１においては、記録又は再生条件の一例として、ストラテジを用いて説明したが、本発明の範囲はこれに限定されるものでないことは言うまでもない。また、記録専用装置及び再生専用装置の何れに対しても適用可能である。
【００５５】
（実施の形態２）
実施の形態２に係る光ディスク装置は、光ディスクＡの径方向の複数のキャリブレーション位置でキャリブレーションを行い、該キャリブレーションの結果に係る記録又は再生の条件を、前記キャリブレーション位置に基づいて画定される複数の部分領域毎に記憶しておき、記録又は再生の場合、記録又は再生すべき箇所が属する部分領域に係る前記条件に基づいて、記録又は再生を実行するところは上述した実施の形態１に係る光ディスク装置と同様であるが、前記記録の実行の後、該記録に係る再生信号から、再生品質に係るエラー信号を検出し、検出結果に基づき、更にキャリブレーションを行うことを特徴とする。
以下、実施の形態２に係る光ディスク装置について詳しく説明する。図４は本発明の実施の形態２に係る光ディスク装置のＣＰＵ２１の制御手順を示すフローチャートである。便宜上、外部装置Ｂから継続して複数の記録指示を受け付ける場合において、前回の記録指示に係る記録の終了後、次回の記録指示を受ける間の処理を例として説明し、実施の形態１に記載したような処理によって、既にＲＡＭ２３には、各キャリブレーション位置でのキャリブレーション結果に係る条件が部分領域に関連付けられ記憶されているものとする。なお、記録又は再生の条件として、フォーカス制御、トラッキング制御、チルト制御等のいわゆるサーボ系の制御条件を例として説明する。
【００５６】
ＣＰＵ２１は前回の記録指示に係る記録が終了したか否かを判定する（ステップ２０１）。前回の記録指示に係る記録が終了していないと判定した場合（ステップ２０１：ＮＯ）、ＣＰＵ２１は前回の記録指示に係る記録が終了するまで待機する。一方、前回の記録指示に係る記録が終了したと判定した場合（ステップ２０１：ＹＥＳ）、ＣＰＵ２１は、前回の記録指示によって記録が実行された部分又はその一部（例えば２つのトラック）を再生し、再生信号からエラー信号を検出する（ステップ２０２）。
【００５７】
以下、斯かる処理について詳しく説明する。記録が終了した場合、記録か終了した位置を示す終了位置アドレスがＰＭＡに記録されるので、前記終了位置アドレスに基づき、最終２トラック分の記録ピットを再生する。ＣＰＵ２１は、適宜位置に光ピックアップ１を移動させ、前回の記録指示によって形成された記録ピットにレーザ光を照射する。反射されたレーザ光を光検出器１１が受光し、反射光から例えば再生品質に係るエラー信号を検出する。つまり、所定算出式によって、例えば、トラキングエラー信号（ＴＥＳ）、フォーカスエラー信号（ＦＥＳ、ＴＨＥＳ）及びチルトエラー信号（ＴＬＴＥＳ）が生成される。これらは、夫々トラキングエラーに起因する収差の程度、フォーカスエラーに起因する収差の程度、チルトエラーに起因する収差の程度を示すものである。
【００５８】
次いで、ＣＰＵ２１は、前記検出によって検出されたエラー信号が所定基準を満たすか否かを判定する（ステップ２０３）。つまり、所定算出式によって算出された、トラキングエラー信号（ＴＥＳ）、フォーカスエラー信号（ＦＥＳ、ＴＨＥＳ）及びチルトエラー信号（ＴＬＴＥＳ）の値が所定基準（例えば「０」）を満足しているか否かを判定する。
【００５９】
ＣＰＵ２１が、検出されたエラー信号が所定基準に満たしていると判定した場合（ステップ２０３：ＹＥＳ）、処理は終了する。一方、ＣＰＵ２１は、検出されたエラー信号が所定基準に満たしていないと判定した場合（ステップ２０３：ＮＯ）、キャリブレーションのための位置を特定し（ステップ２０４）、キャリブレーションを指示する（ステップ２０５）。前記位置の特定は、ＰＭＡに記録されている前回の記録の終了位置アドレスに基づいて、例えば、前回の記録の終了位置を前記キャリブレーションのための位置として特定する。特定された位置では記録条件（又は再生条件）のキャリブレーションが行われる。該キャリブレーションでは、例えば、上述したように算出されたトラキングエラー信号（ＴＥＳ）、フォーカスエラー信号（ＦＥＳ、ＴＨＥＳ）及びチルトエラー信号（ＴＬＴＥＳ）の値が「０」になるように、トラッキング制御、フォーカス制御及びチルト制御が行われ、例えば対物レンズを移動させるように、サーボ回路４７を介してサーボアクチュエータ１３に指示される。
【００６０】
次いで、ＣＰＵ２１は、前記キャリブレーションの結果に基づき、ＲＡＭ２３に既に記憶されている当該部分領域の記録条件、即ち、前回の記録に係る記録条件（例えば、サーボ系の制御条件）を更新する（ステップ２０６）。つまり、ＣＰＵ２１は、ＰＭＡに記録されている前記終了位置アドレス、及びＲＡＭ２３に記録している、各部分領域アドレスに基づき、当該部分領域を特定し、特定された部分領域に係る記録条件を更新する。例えば、前回の記録が第２部分領域にて実行された場合、第２部分領域に係るサーボ系の制御条件、即ち、第２位置でのキャリブレーション結果に係るサーボ系の制御条件（例えば、対物レンズのチルト角度、高さ、回転位相等）を、ステップ２０５でのキャリブレーション後のサーボ系の制御条件（以下、更新サーボ系の制御条件という）に書き換えて更新する。
【００６１】
その後、外部装置Ｂから次回の記録指示を受けた場合、ＲＡＭ２３に既に記憶されているサーボ系の制御条件（以下、旧サーボ系の制御条件）、又は更新サーボ系の制御条件に基づき、記録が実行される。つまり、ステップ２０３にて再生信号検出結果が所定基準に満たしていると判定された場合は、旧サーボ系の制御条件に基づく記録が実行され、再生信号検出結果が所定基準に満たしていないと判定された場合は、更新サーボ系の制御条件に基づく記録が実行される。
【００６２】
実施の形態２においては、記録又は再生条件の一例として、サーボ系の制御条件を用いて説明したが、本発明の範囲はこれに限定されるものでないことは言うまでもない。
【００６３】
上述したように、実施の形態２に係る光ディスク装置は、記録が終了する都度、前記記録に係る再生信号からエラー信号の検出を行い、前記検出の結果に基づいて再びキャリブレーションを行い、記録又は再生条件を更新するので、例えば、光ディスクの厚みが径方向へ不規則的に変化する場合にも対応することが出来る。
【００６４】
また、実施の形態２の範囲は以上のような記載に限るものでない。前述したように、外周近域でのみキャリブレーションを行い、該キャリブレーションの結果に基づく、外周近域に適した記録又は再生の条件をＲＡＭ２３に記憶しておき、外周近域での記録（又は再生）指示を受け付けた場合は、ＲＡＭ２３に記憶されている記録又は再生の条件に基づき、記録（又は再生）を実行するように構成された光ディスク装置にも適用可能である。
このような光ディスク装置は、実施の形態２に記載のステップの処理と殆ど同様の処理を実行するが、ステップ２０６の記録条件更新の処理が異なる。つまり、記録条件更新の処理において、ＰＭＡに記録されている終了位置アドレス、及びＲＡＭ２３に記録している、外周近域を画定するアドレスに基づき、記録が実行された部分が外周近域であるか否かを判定し、外周近域でないと判定した場合は、ＲＯＭ２２にデフォルトとして予め記憶されている記録又は再生の条件を更新し、外周近域であると判定した場合は、ＲＡＭ２３に記憶されている前記外周近域の記録又は再生の条件を更新するように構成すれば良い。
【００６５】
（実施の形態３）
本発明の実施の形態３に係る光ディスク装置は、実施の形態２に係る光ディスク装置と略同様の構成であるが、前記キャリブレーション、又は該キャリブレーションに基づく記録又は再生の条件の更新の際、例えば、外部装置Ｂから記録指示と共に記録用データを受信した場合に対応できるように構成されている。
【００６６】
図５は本発明の実施の形態３に係る光ディスク装置のＣＰＵ２１の制御手順を示すフローチャートである。以下、便宜上、実施の形態２にて記述したように、外部装置Ｂから継続して複数の記録指示を受け付ける場合において、前回の記録指示に係る記録の終了後、次回の記録指示を受ける間に再びキャリブレーションを行う際、次回の記録指示と共に記録用データを受信した場合を例として説明する。また、既にＲＡＭ２３には、各キャリブレーション位置でのキャリブレーション結果に係る条件（例えば、サーボ系の制御条件）が部分領域に関連付けられ記憶されており、更なるキャリブレーションの結果に基づいて記録又は再生の条件を更新するものとする。
【００６７】
前回の記録指示に係る記録が終了し、該記録が実行された部分に係る再生信号からエラー信号を検出する。前記エラー信号は、例えば、トラキングエラー信号、フォーカスエラー信号及びチルトエラー信号等である。検出されたエラー信号が所定基準を満たしていないと判定した場合、ＣＰＵ２１はキャリブレーションを指示する（ステップ３０１）。このような処理は、実施の形態２の記載（ステップ２０１〜ステップ２０５）と同様であり、詳しい説明を省略する。
【００６８】
キャリブレーション指示によって、前記キャリブレーションが開始された後、ＣＰＵ２１は、外部装置Ｂから次回の記録指示を受け付けたか否かを判定するする（ステップ３０２）。次回の記録指示を受け付けていないと判定した場合（ステップ３０２：ＮＯ）、前記キャリブレーションが続行され、該キャリブレーションが終了した場合は、キャリブレーションの結果に基づき、ＲＡＭ２３に既に記憶されている当該部分領域に係る記録条件（例えば、サーボ系の制御条件）を更新する（ステップ３０７）。この処理の詳細は、実施の形態２の記載と同様であり、詳しい説明を省略する。
【００６９】
一方、前記キャリブレーションが開始され、該キャリブレーションが終了する前、即ち前記キャリブレーションの途中に、外部装置Ｂから記録指示を受け付けた場合、ＣＰＵ２１は次回の記録指示を受け付けたと判定する（ステップ３０２：ＹＥＳ）。この場合、ＣＰＵ２１は、次回の記録指示に伴う記録用データを受信し、記録部３に一時的に記憶する（ステップ３０３）。この際、前記キャリブレーションも同時に実行される。
【００７０】
前記記録用データの記憶が終了した後、ＣＰＵ２１は、前記キャリブレーションが終了したか否かを判定する（ステップ３０４）。前記キャリブレーションが終了していないと判定した場合（ステップ３０４：ＮＯ）、ＣＰＵ２１は前記キャリブレーションが終了するまで待機する。一方、前記キャリブレーションが終了したと判定した場合（ステップ３０４：ＹＥＳ）、ＣＰＵ２１は、キャリブレーションの結果に基づき、ＲＡＭ２３に既に記憶されている当該部分領域に係る記録条件（例えば、サーボ系の制御条件）を更新する（ステップ３０５）。この処理の詳細は、実施の形態２の記載と同様であり、詳しい説明を省略する。
【００７１】
記録条件を更新した後、ＣＰＵ２１は、更新された記録条件に基づいて、記憶部３に記憶されている記録用データの光ディスクＡへの記録を開始する（ステップ３０６）。
【００７２】
実施の形態３においては、キャリブレーションの途中に記録指示を受け付けた場合を例として説明したが、これに限るものでない。例えば、キャリブレーション後の記録条件の更新の途中に記録指示を受け付けた場合にも適用可能である。詳しくは、記録条件の更新開始後、記録指示の受け付けを判定する手段を備え、該手段が記録指示を受け付けたと判定した場合は、前記記録指示に伴う記録用データの一時記憶を行うように構成すれば良い。
【００７３】
また、実施の形態３に係る光ディスク装置の範囲は以上のような記載に限るものでない。前述したように、外周近域でのみキャリブレーションを行い、該キャリブレーションの結果に基づく、外周近域に適した記録又は再生の条件をＲＡＭ２３に記憶しておき、外周近域での記録指示（又は再生指示）を受け付けた場合は、ＲＡＭ２３に記憶されている記録又は再生の条件に基づき、記録（又は再生）を実行するように構成された光ディスク装置にも適用可能である。
このような光ディスク装置は、実施の形態３に記載のステップの処理と殆ど同様の処理を実行するが、ステップ３０７又はステップ３０５の記録条件更新の処理が異なる。つまり、夫々の記録条件更新の処理の際、ＰＭＡに記録されている終了位置アドレス、及びＲＡＭ２３に記録している外周近域を画定するアドレスに基づき、記録が実行された部分が外周近域であるか否かを判定し、外周近域でないと判定した場合は、ＲＯＭ２２にデフォルトとして予め記憶されている記録又は再生の条件を更新し、外周近域であると判定した場合は、ＲＡＭ２３に記憶されている前記外周近域の記録又は再生の条件を更新するように構成すれば良い。
【００７４】
（実施の形態４）
本発明の実施の形態４に係る光ディスク装置は、上述した実施の形態１に係る光ディスク装置と略同様の構成であるが、以下のように異なる構成を有する。本発明の実施の形態４に係る光ディスク装置は、光ディスクの径方向の複数のキャリブレーション位置でキャリブレーションを行い、該キャリブレーションの結果に係る記録又は再生の条件を、前記キャリブレーション位置に基づいて画定される複数の部分領域毎に記憶する際、斯かる記録又は再生条件を光ディスクの製造者毎に関連づけて記憶しておき、挿入された光ディスクが有する製造者ＩＤ（製造者識別データ）に基づいて記録又は再生の条件を読み取って、読み取られた記録又は再生の条件に基づき、記録又は再生が実行されるように構成されている。
【００７５】
図６は本発明の実施の形態４に係る光ディスク装置のＣＰＵ２１の制御手順を示すフローチャートである。以下、便宜上、実施の形態４に係る光ディスク装置のＲＡＭ２３は、製造者毎に関連づけて記録又は再生条件が記録されている。詳しくは、各キャリブレーション位置でのキャリブレーション結果に係る条件を、各キャリブレーション位置に基づいて画定される各部分領域に関連付けて記憶する際、挿入された光ディスクのＡＴＩＰ情報から製造者ＩＤを読み出し、前記記録又は再生の条件を前記製造者ＩＤに関連づけて記憶する。従って、実施の形態４に係る光ディスク装置のＲＡＭ２３には、製造者毎に、部分領域アドレス及び各部分領域に係る記録又は再生の条件が記憶されることとなる。なお、ＲＡＭ２３でなく、ＲＯＭ２２に記憶するように構成しても良い。
【００７６】
ＣＰＵ２１は光ディスクＡが挿入されたか否かを判定する（ステップ４０１）。このような判定は例えば、ディスク検出スイッチによって行われる。光ディスクＡが挿入されていないと判定した場合（ステップ４０１：ＮＯ）、ＣＰＵ２１は光ディスクＡの挿入まで待機する。一方、光ディスクＡが挿入されたと判定した場合（ステップ４０１：ＹＥＳ）、ＣＰＵ２１は、挿入された光ディスクのＡＴＩＰ情報から製造者ＩＤを読み取る（ステップ４０２）。読み取られた製造者ＩＤはＲＡＭ２３に記憶される。次いで、ＣＰＵ２１は、読み取られた光ディスクの製造者ＩＤと、ＲＡＭ２３に記録されている製造者（製造者ＩＤ）を対照することによって、挿入された光ディスクＡに対する各部分領域アドレス及び各部分領域に係る記録又は再生の条件が既に記憶されているか否かを判定する（ステップ４０３）
【００７７】
挿入された光ディスクＡに対する部分領域アドレス及び各部分領域に係る記録又は再生の条件が既に記憶されていないと判定した場合（ステップ４０３：ＮＯ）、処理は実施の形態１のステップ１０２へ移動し、光ディスクＡの径方向の複数のキャリブレーション位置でキャリブレーションを行い、該キャリブレーションの結果に係る記録又は再生の条件を、前記キャリブレーション位置に基づいて画定される複数の部分領域毎に記憶しておき、記録又は再生の場合、記録又は再生すべき箇所が属する部分領域に係る前記条件に基づいて、記録又は再生を実行する。このような処理は、実施の形態１のステップ１０２以降の処理の同様であり、詳しい説明を省略する。
【００７８】
一方、挿入された光ディスクＡに対する部分領域アドレス及び各部分領域に係る記録又は再生の条件が既に記憶されていると判定した場合（ステップ４０３：ＹＥＳ）、ＣＰＵ２１は、例えば外部装置Ｂから、記録指示（又は再生指示）を受け付けたか否かを判定する（ステップ４０４）。記録指示（又は再生指示）を受け付けていないと判定した場合（ステップ４０４：ＮＯ）、ＣＰＵ２１は、記録指示（又は再生指示）を受け付けるまで待機する。一方、記録指示（又は再生指示）を受け付けたと判定した場合（ステップ４０４：ＹＥＳ）、ＣＰＵ２１は、記録指示（又は再生指示）に係る記録（又は再生）が実行されるべき、部分領域を特定する（ステップ４０５）。斯かる部分領域の特定は、記録指示に含まれている記録（再生）開始アドレスデータを読み出し、ＲＡＭ２３に記憶されている前記製造者ＩＤ及び各部分領域アドレスに基づき、該記録開始アドレスデータが属する記録（再生）対象たる部分領域を選択することによって行われる。
【００７９】
続いて、ＣＰＵ２１は、ＲＡＭ２３に記憶されている前記製造者ＩＤに基づき、特定された部分領域に係る記録（又は再生）条件をＲＡＭ２３から読み出し（ステップ４０６）、該記録（又は再生）条件に基づく記録（又は再生）を指示する（ステップ４０７）。前記記録（又は再生）条件のデータ及び記録用データはエンコーダ４４及びストラテジ回路４５を介してＬＤドライバ１２に送られる。光ピックアップ１は特定された部分領域の前記記録（再生）開始アドレスに係る位置に移動され、ＬＤドライバ１２は、特定された部分領域に適した記録（又は再生）条件に基づいて記録（又は再生）を開始する。
【００８０】
また、実施の形態４に係る光ディスク装置の範囲は以上のような記載に限るものでない。前述したように、外周近域でのみキャリブレーションを行い、該キャリブレーションの結果に基づく、外周近域に適した記録又は再生の条件をＲＡＭ２３に記憶しておき、外周近域での記録指示（又は再生指示）を受け付けた場合は、ＲＡＭ２３に記憶されている記録又は再生の条件に基づき、記録（又は再生）を実行するように構成された光ディスク装置にも適用可能であることは言うまでもない。
【図面の簡単な説明】
【００８１】
【図１】本発明に係る光ディスク装置の要部構成を示すブロック図である。
【図２】本発明の実施の形態１に係る光ディスク装置のＣＰＵの制御手順を示すフローチャートである。
【図３】本発明の実施の形態１に係る光ディスク装置のＣＰＵの制御手順を示すフローチャートである。
【図４】本発明の実施の形態２に係る光ディスク装置のＣＰＵの制御手順を示すフローチャートである。
【図５】本発明の実施の形態３に係る光ディスク装置のＣＰＵの制御手順を示すフローチャートである。
【図６】本発明の実施の形態４に係る光ディスク装置のＣＰＵの制御手順を示すフローチャートである。
【符号の説明】
【００８２】
１  光ピックアップ
１１  光検出器
１３  サーボアクチュエータ
２  制御部
２１  ＣＰＵ
２２  ＲＯＭ
２３  ＲＡＭ
３  記憶部
Ａ  光ディスク
【図１】
2010073237.tif 000003
【図２】
2010073237.tif 000004
【図３】
2010073237.tif 000005
【図４】
2010073237.tif 000006
【図５】
2010073237.tif 000007
【図６】
2010073237.tif 000008